(57)【要約】【課題】正負イオンによる不活化効果を十分に発揮することが可能で、特に抵抗力の弱い児童が集団で活動する育児機関や教育機関、あるいは小児科等の待合室において効果的に感染症を防止可能な空気浄化装置を提供する。【解決手段】空気吸込口４及び空気吹出口６が形成された本体２と、本体２に内蔵されたイオン発生手段３とを備え、空気吸込口４から吸込んだ空気Ａにイオン発生手段３で発生させたイオンを供給して空気吹出口６から放出する空気浄化装置１であって、空気吸込口４及び空気吹出口６を本体の同一面に形成し、好ましくは空気吹出口６の周りに空気吸込口４を複数箇所形成する。【選択図】図１
2006167201.tif 000002
【特許請求の範囲】
【請求項１】
空気吸込口及び空気吹出口が形成された本体と、該本体に内蔵されたイオン発生手段とを備え、前記空気吸込口から吸込んだ空気に前記イオン発生手段で発生させたイオンを供給して空気吹出口から放出する空気浄化装置であって、前記空気吸込口及び空気吹出口が本体の同一面に形成されたことを特徴とする空気浄化装置。
【請求項２】
前記空気吸込口及び空気吹出口が、本体の上面又は側面に形成されたことを特徴とする請求項１記載の空気浄化装置。
【請求項３】
前記空気吸込口が、前記空気吹出口の周りに複数箇所形成されたことを特徴とする請求項１又は２記載の空気浄化装置。
【請求項４】
前記空気吹出口に、空気の吹出し方向及び／又は角度を任意に調節可能な風向調節手段が設けられた請求項１〜３のいずれかに記載の空気浄化装置。
【請求項５】
前記空気吸込口に、吸気量を調節する吸気調節手段が設けられた請求項４記載の空気浄化装置。
【請求項６】
前記空気吹出口の空気吹出し方向に位置する空気吸込口の吸気量を小さくすることを特徴とする請求項５記載の空気浄化装置。
【請求項７】
前記本体の周りに存在する物体を検知する物体検知手段と、該検知手段の検知結果に基づいて、前記風向調節手段の作動を制御する制御手段とを備え、前記制御手段は、物体を検知したときに、物体を検知しない方向に空気を吹き出すように前記風向調節手段を作動させることを特徴とする請求項４〜６のいずれかに記載の空気浄化装置。
【請求項８】
前記空気吸込口の吸気量を調節する吸気調節手段と、前記本体の周りに存在する物体を検知する物体検知手段と、該検知手段の検知結果に基づいて、前記吸気調節手段の作動を制御する制御手段とを備え、前記制御手段は、物体を検知したときに、物体を検知した方向の空気吸込口の吸気量を小さくするように吸気調節手段を作動させることを特徴とする請求項３記載の空気浄化装置。
【請求項９】
前記物体検知手段が、前記本体の外面に取り付けられた複数の検知センサからなる請求項７又は８記載の空気浄化装置。
【発明の詳細な説明】
【技術分野】
【０００１】
本発明は、イオンを発生する空気浄化装置に関するものであり、特に、浮遊菌、カビ又はウイルスに対する抵抗力が弱い子どもが存在する環境（病院の小児科や耳鼻咽喉科の待合室や診察室、あるいは保育園や幼稚園や乳児院や育児院の育児機関や小学校等の教育機関等）において好適に用いることが可能な空気浄化装置に関するものである。
【背景技術】
【０００２】
近年、住宅環境の密閉度合が高まり、室内の空気が滞留しがちであることから、室内の空気を浄化することにより、匂いや汚れを除去して、健康で快適な生活を送りたいという要望が高まっている。そこで、空気浄化装置により、空間に浮遊する粒子を除去する装置が広く用いられている。
【０００３】
従来の空気浄化装置においては、空気浄化装置内部に設置されたＨＥＰＡ（High Efficiency Particulate Air）フィルターに気流を透過させることにより粒子を除去するものが多かったが、最近では単に粒子を除去するだけではなく、優れた機能が付加された空気浄化装置が開発されている。
【０００４】
上記付加機能の一つとして、特許文献１には、住宅環境といった人間が生活する環境において、正負イオンによりカビ、浮遊菌、ウイルス、花粉及びダニ等のアレルゲン成分である生物に由来する汚染原因を除去／不活化する方法が記載されている。
【０００５】
イオンを発生させるイオン発生素子の原理は、以下の通りである。すなわち、プラズマ領域を形成してイオンを発生するイオン発生電極を有するイオン発生素子の電極間に交流の高電圧（多くの場合はパルス電圧）を印加すると、放電によりイオン発生電極から正イオンと負イオンを発生する。
【０００６】
正イオンとしてはＨ＋（Ｈ２Ｏ）ｍ（ｍは任意の自然数）、負イオンとしてはＯ２−（Ｈ２Ｏ）ｎ（ｎは任意の自然数）が最も安定に生成している。イオン種については、質量分析法による精密な測定で確認されている。
【０００７】
これらの正イオンと負イオンが空気中に存在すると化学反応を起こし、活性種である過酸化水素Ｈ２Ｏ２又はヒドロキシラジカル・ＯＨを生成する。これらの酸化水素Ｈ２Ｏ２又はヒドロキシラジカル・ＯＨが極めて強力な活性を示し、この作用により空気中の浮遊菌やウイルスや花粉やダニのアレルゲン成分を除去・不活化することができるというものである。
【０００８】
したがって、上記の効果を発揮するには、空間に正イオンと負イオンの両方を供給しなければならない。また、上記の効果を空間に波及させるためには、正負イオンを含む空気を空間に放出する必要があるので、空気浄化装置に送風手段を設けて、送風手段からの空気の気流よりイオンを波及させる方法が好ましい。
【０００９】
図１７に一般的な空気浄化装置の概略図を示す。空気浄化装置１の本体２には、正負イオンを発生するイオン発生手段としてイオン発生素子３が設置されている。イオン発生素子３は、本体２内部に形成された通風路（図示せず）に設置されている。
【００１０】
空気浄化装置１を作動すると、本体２に内蔵された送風手段としてのモーターやファン（図示せず）が稼動し、本体２正面に形成された空気吸込口４より、室内空間の空気Ａを本体２の内部に取り込み、ＨＥＰＡフィルター５により、空間に浮遊する1ミクロン程度の微粒子を捕獲すると同時に、イオン発生素子３の電極表面より正負イオンを発生し、本体２の空気吹出口６より、イオンを充分に含んだ空気Ｂとして空間に放出される。
【００１１】
これにより、従来からの単にＨＥＰＡフィルターを備えた空気浄化装置のように、単に浮遊粒子を除去するだけではなく、空間に放出された正負イオンの効果により、カビや浮遊菌やウイルスや花粉やダニのアレルゲンを除去・不活化することにより、これらによる感染症やアレルギー性疾患に罹患することが抑制される。
【００１２】
上記空気浄化装置は、基本的に本体２の前面に空気吸込口４が形成され、ここから空気を吸込んで、本体２の上面に形成された空気吹出口６から空気を放出する構造とされている。このように空気吸込口４と空気吹出口６とを本体２の別々の面に形成にすることで、室内の空気を循環させ、空気浄化装置に微粒子を含む空気を効率よく取り込むことができる構造とされている。
【特許文献１】特開２００２−９５７３１号公報
【発明の開示】
【発明が解決しようとする課題】
【００１３】
ところで、感染症の大きな原因であるウイルスの感染経路としては、大きく分けて空気感染、飛沫感染、接触感染の３つの経路が存在する。そのうち、特に空気感染及び飛沫感染については、正負イオンによるウイルス不活化効果が大きい。
【００１４】
インフルエンザウイルスに代表される飛沫感染は、咳、くしゃみ、会話等に伴って発生する飛沫が、経気道的に粘膜に付着し、それに含まれるウイルスが感染するというものである。この場合、飛沫が飛散する範囲は１ｍ程度と狭い範囲に限定され、飛沫が床面に落下すると感染症を引き起こす可能性は失われる。したがって、室内で活動する人に向って正負イオンを放出することで効果的に飛沫感染を防止することが可能となる。
【００１５】
しかし、前述の従来型の空気浄化装置では、正負イオンを含む空気Ｂが室内上方に向って放出される構造であり、しかも正負イオンは短時間で中和されて、カビ、浮遊菌、ウイルス、アレルゲン成分などに対する不活化効果（以下、単に不活化効果という）が失われてしまうことから、飛沫感染や空気感染を効果的に抑制することができないといった問題が生じていた。
【００１６】
上記問題を解決するために、空気吹出口から放出される空気の向きをルーバーによって強制的に変えることも考えられるが、正負イオンは障害物に衝突すると中和して失活する割合が増加するため、ルーバーによって空気吹き出し方向を大きく変更することは結果的に正負イオンの不活化効果を弱める可能性が生じる。
【００１７】
また、空気浄化装置を室内で人が活動する場所付近に設置することも考えられるが、この場合には空気浄化装置により人の活動スペースが制限されることになり、また、人が空気浄化装置にぶつかったり、それによる転倒の危険性も存在していた。
【００１８】
そこで、本発明においては、正負イオンによる不活化効果を十分に発揮することが可能で、特に抵抗力の弱い児童が集団で活動する育児機関や教育機関、あるいは小児科等の待合室において効果的に感染症を防止可能な空気浄化装置を提供することを目的とする。
【課題を解決するための手段】
【００１９】
上記目的を達成するため、本発明では、空気吸込口及び空気吹出口が形成された本体と、該本体に内蔵されたイオン発生手段とを備え、空気吸込口から吸込んだ空気にイオン発生手段で発生させたイオンを供給して空気吹出口から放出する空気浄化装置であって、空気吸込口及び空気吹出口が本体の同一面に形成されたことを特徴とする。
【００２０】
上記構成によれば、空気吸込口及び空気吹出口の形成面が人の存在する方向に向くように空気浄化装置を設置することにより、中和により失活するイオンの割合を最小限に抑えつつ、十分な量の正負イオンを人の活動空間に直接供給することができ、これにより効果的に感染症を防止することが可能となる。
【００２１】
本体における空気吸込口及び空気吹出口の形成面は特に制限はなく、本体の上面あるいは側面のいずれに形成してもよい。
【００２２】
空気吸込口及び空気吹出口の形態については特に制限はないが、空気吸込口を空気吹出口の周りに複数箇所形成するようにすれば、空気浄化装置の周囲に存在する微粒子を広範に本体内に取り入れることが可能となる。また、空気吸込口を複数形成することにより、空気吸込口１箇所当たりの吸気量（単位時間当たりに吸込む空気の量）が少なくてすむため、空気吹出口から放出されたイオンを含む空気が再度、空気吸込口に吸込まれる可能性を抑制することができる。
【００２３】
上記空気吹出口の近傍に、空気吹出口から吹き出される空気の吹出し方向及び／又は角度を任意に調節可能な風向調節手段を設ければ、空気の吹出し方向を空気吹出口の中心軸方向のみならず、空気の吹き出しを最適な方向及び／又は角度に調節することが可能となる。
【００２４】
また、複数存在する空気吸込口それぞれに吸気量を調節する吸気調節手段を設ければ、風向調節手段により調節された空気の吹出し方向及び／又は角度に合せて各空気吸込口の吸気量を調節することができる。
【００２５】
具体的には、空気吹出口の空気吹出し方向に位置する空気吸込口の吸気量を小さくするようにすればよい。これにより、空気吹出口から吹出した空気が、再度、空気吸込口から吸込まれるのを効果的に防止することができる。さらに、空気の吹出し角度が大きくなるに従って、空気吹出口から空気を吹出す方向に位置する空気吸込口の吸気量が小さくなるようにすれば、空気吹出口から吹出した空気が、再度、空気吸込口から吸込まれるのをより確実に防止することができる。
【００２６】
上記風向調節手段は手動で調節してもよいが、本体の周りに存在する物体を検知する物体検知手段と、該検知手段の検知結果に基づいて、風向調節手段の作動を制御する制御手段とを備え、制御手段は、物体を検知したときに、物体を検知しない方向に空気を吹き出すように前記風向調節手段を作動させるようにすることもできる。制御手段としては制御マイコンを利用することができる。
【００２７】
すなわち、制御手段は、物体検知手段が物体を検知した方向に壁面等の障害物があって人が存在しないと判断し、物体検知手段が物体を検知しない方向に人が活動する空間が存在すると判断して、その方向にイオンを含む空気を吹き出すように風向調節手段を作動させることにより、自動的に風向調節を行なうことができる。
【００２８】
なお、各空気吸込口に吸気量を調節する吸気調節手段が設けられた空気浄化装置においては、制御手段が、物体を検知しない方向に空気を吹き出すように風向調節手段を作動させる際に、その方向に位置する空気吸込口の吸気量が小さくなるように吸気調節手段を作動させることも可能であり、これにより自動的に風向調節及び吸気量調節を行なうことができる。
【００２９】
また、前記空気吹出口の周りに空気吸込口が複数箇所形成された構成の空気浄化装置において、空気吸込口の吸気量を調節する吸気調節手段と、本体の周りに存在する物体を検知する物体検知手段と、該検知手段の検知結果に基づいて、吸気調節手段の作動を制御する制御手段とを備え、制御手段は、物体を検知したときに、物体を検知した方向の空気吸込口の吸気量を小さくするように吸気調節手段を作動させることも可能である。
【００３０】
すなわち、制御手段は、物体検知手段が物体を検知した方向に壁面等の障害物があって人が存在しないと判断し、その方向に位置する空気吸込口の吸気量を小さくし、その分、他の空気吸込口の吸気量を増加させることにより、埃等の微粒子を効果的に捕集することが可能となる。
【００３１】
物体検知手段として、前記本体の外面に取り付けられた複数の検知センサからなるものを使用することができる。この場合、検知センサとしては赤外線センサや超音波センサ等の各種のものを用いることができる。なお、赤外線センサとして、オートフォーカス技術に使用される距離センサを用いれば、空気浄化装置から障害物までの距離を判断し、周囲の状況をより正確に把握すして風向調節することが可能となり、より効果的な正負イオンの放出が可能となる。検知センサは、本体の上面及び各側面に設置することができる。
【発明の効果】
【００３２】
以上のように、本発明によれば、空気吸込口及び空気吹出口を本体の同一面に形成したため、中和により失活するイオン量を最小限に抑えつつ、十分な量の正負イオンを人の活動空間に直接供給することができ、これにより効果的に感染症を防止することが可能となる。
【００３３】
また、空気吹出口の周りに空気吸込口を複数箇所形成することにより、空気吸込口１箇所当たりの吸気量が少なくてすむため、空気吹出口から放出されたイオンを含む空気が再度、空気吸込口に吸込まれる可能性を抑制することができる。
【発明を実施するための最良の形態】
【００３４】
［第１の実施形態］
以下、本発明の第１実施形態を図面を基に説明する。図１は本発明に係る空気浄化装置を示す外観斜視図であり、図２は空気浄化装置の内部構成を示す概念図である。
【００３５】
図１、２に示すように、空気浄化装置１は、本体２が立方体に近い六面体形状を有しており、本体２の上面の中央部に空気吹出口６が形成されており、空気吸込口４は本体２の上面において空気吹出口６の周囲、すなわち、空気吹出口４の前後左右４箇所（前側吸込口４ａ、後側吸込口４ｂ、右側吸込口４ｃ、左側吸込口４ｄ）に形成されている。空気吸込口４から空気吹出口６までの間には通風路７が形成されている。
【００３６】
通風路７について説明すると、通風路７は上流側が４経路に分岐されており、各分岐路７ａはそれぞれ４箇所の空気吸込口４に接続されている。分岐路７ａ内には吸気調節手段としてそれぞれダンパー８が設けられており、これにより各空気吸込口４の吸気量が調節可能とされている。
【００３７】
分岐路７ａが合流した下流側の通風路７内には、ＨＥＰＡフィルター５および送風ファン９がこの順に配置されており、さらにその下流側の空気吹出口６近傍にはイオン発生手段としてのイオン発生素子３が取り付けられている。空気吹出口６には、空気吹出し方向を調節するための風向調節手段としてルーバー１０が設けられており、これにより本体１の前後左右いずれの方向にも任意の角度で空気を吹き出し可能とされている。
【００３８】
上記空気浄化装置には、物体検知手段として、本体１の上面及び各側面（前面、右側面、左側面及び背面）にそれぞれ距離センサ１１が取り付けられている。
【００３９】
イオン発生素子３の表面には、誘電体３ａが設けられ、この誘電体３ａの裏側には、誘電電極３ｂが設けられ、この誘電電極３ｂと対向するように、誘電体３ａ表面には、イオン発生電極３ｃが取付けられている。図２では、イオン発生電極３ｃの形状は網状となっている。
【００４０】
イオン発生電極３ｃ及び誘電電極３ｂは、リード線３ｄを通じて高圧パルス駆動回路３ｅに接続されている。高圧パルス駆動回路３ｅは、イオン発生素子３の内部に収納されている。
【００４１】
このような構成のイオン発生素子３において、イオン発生電極３ｃ及び誘電電極３ｂ間に正負電圧からなる、例えば、ピーク値が約２．７ｋＶであるパルス電圧を印加すると、イオン発生電極３ｃから正負イオンが発生する。発生した正負イオンは、送風手段９により、通風路７を通り、イオンを充分に含んだ空気Ｂとして空間に放出されることになる。
【００４２】
空気浄化装置１内には、図３のごとく、入力回路１２ａ、ＣＰＵ１２ｂ、メモリ１２ｃ、出力回路１２ｄを備えたマイクロコンピュータから構成される制御手段１２が設けられており、制御手段１２は物体検知手段としての各距離センサ１１からの信号を受けてダンパー８やルーバー１０の作動を制御するようになっている。
【００４３】
次に、制御手段１２の具体的な制御について説明する。図４は、本実施形態の空気浄化装置１を室内中央などの比較的障害物が少ない環境に設置した状態を示す斜視図である。この場合、制御手段１２は、本体２に取り付けられたセンサ１１からの信号により、空気浄化装置１の周辺に障害が存在しないという状況を把握する。
【００４４】
そして、制御手段１２は、空気吸込口４の内部に設けられた各ダンパー８の開度が最大になるように作動させ、４箇所の空気吸込口から均等に空気Ａを吸込むようにする。空気浄化装置１で発生した正負イオンを含む空気Ｂの吹出し方向については、障害物が近くに存在しないので特に制限はなく、例えば、制御手段１２はルーバー１０の向きを調節することにより、空気Ｂを空気吹出口６の中心軸方向Ｃ、すなわち、空気吹出口６に対して直角方向になるように上方に吹き出したり、あるいは、中心軸Ｃに対して空気浄化装置の前方にやや角度をつけた状態で吹き出すような運転形態をとる。
【００４５】
図５は空気浄化装置１の右側面を壁面に近づけて設置した状態を示す斜視図であり、図６はそのときの空気浄化装置１を上から見た平面図である。この場合、制御手段１２は、本体２に取り付けられたセンサ１１からの信号により、空気浄化装置１の右側面の近くに障害物が存在することを把握する。
【００４６】
これにより、制御手段１２は、ルーバー１０の向きを調節して、空気Ｂを空気浄化装置１の左側に向けて吹き出すようにする。すなわち、空気吹出口６の中心軸方向から左側に角度αだけ傾斜させて空気Ｂを放出する。この角度αは、センサ１１により検知した障害物までの距離が近くなるほど、大きくなるように設定されている。
【００４７】
さらに、制御手段１２は、吹出し角度αが大きくなるにしたがって、吹出し方向に位置する空気吸込口４ｄのダンパー８を作動させて吸気量が小さくなるように制御する。これにより、空気吹出口６から吹出した空気Ｂが短絡的に空気吸込口４ｄに吸込まれるのを抑制することが可能となる。
【００４８】
また、制御手段１２は、障害物を検知した空気浄化装置１の右側面は人が存在しないので埃等の微粒子の存在する確率が低いと判断し、右側吸込口４ｃの吸気量が小さくなるように制御する。このように、左側吸込口４ｄと、右側吸込口４ｃの吸気量を小さくすることで相対的に前側吸込口４ａと後側吸込口４ｂの吸気量が増加し、効率よく微粒子を吸込むことが可能となる。
【００４９】
図７は空気浄化装置１を室内コーナー部に設置した場合の使用状態を示す図であり、図８はそのときの空気浄化装置１の運転状況を示す斜視図であり、図９はそのときの空気浄化装置１を上から見た平面図である。この場合、制御手段１２は、本体２に取り付けられたセンサ１１からの信号により、空気浄化装置１の右側面及び背面の近くに障害物が存在することを把握する。
【００５０】
これにより、制御手段１２は、ルーバー１０の向きを調節して、空気Ｂを空気浄化装置１の左前方に向けて吹き出すようにする。すなわち、空気吹出口６の中心軸方向から左前方に所定の角度だけ傾斜させて空気Ｂを放出する。この傾斜角度は、センサ１１により検知した障害物までの距離が近くなるほど、大きくなるように設定されている。
【００５１】
さらに、制御手段１２は、吹出し角度αが大きくなるにしたがって、吹出し方向に位置する前側吸込口４ａ及び左側吸込口４ｄのダンパー８を作動させて吸気量が小さくなるように制御する。これにより、空気吹出口６から吹出した空気Ｂが短絡的に空気吸込口４ａ及び４ｄに吸込まれるのを抑制することが可能となる。
【００５２】
なお、空気浄化装置１の右側面及び背面をコーナー部の壁面に近づけて設置した場合には、図９に示すように、前側吸込口４ａ及び左側吸込口４ｄの吸気量を小さくするため、残りは障害物の近くに位置する右側吸込口４ｃと後側吸込口４ｂしかないため、この場合にはダンパー８は開度を最大のまま調節は行なわない。これにより、右側吸込口４ｃと後側吸込口４ｂの吸気量は相対的に増加することになる。
【００５３】
［第２の実施形態］
図１０は、本発明の第２実施形態を示す空気浄化装置の外観斜視図である。本実施形態においては、空気浄化装置１は、本体２が縦長の直方体形状を有しており、本体２の前面上部の左右中央部に空気吹出口６が形成されており、空気吸込口４は空気吹出口６の周囲、すなわち、本体２の前面において空気吹出口４の上下左右４箇所（上側吸込口４ａ、下側吸込口４ｂ、右側吸込口４ｃ及び左側吸込口４ｄ）に形成されている点が特徴され、空気浄化装置１の内部構成やイオン発生素子２の構造、さらに制御手段１２の制御ブロック図の構成は第１実施形態と同様とされている。
【００５４】
本実施形態の空気浄化装置１は、空気吸込口４及び空気吹出口６が本体２の前面に形成されているため、第１実施形態の空気浄化装置１と比較して制御手段１２の制御方法が異なっている。以下、本実施形態の制御手段１２の具体的な制御について説明する。
【００５５】
図１１は、本実施形態の空気浄化装置１を室内に設置した場合の使用状態を示す図であり、図１２はそのときの空気浄化装置１の運転状況を示す斜視図であり、図１３はそのときの空気浄化装置１を上から見た平面図である。この場合、制御手段１２は、本体２に取り付けられたセンサ１１からの信号により、空気浄化装置１の右側面、左側面及び背面の近くに障害物が存在することを把握する。
【００５６】
これにより、制御手段１２は、ルーバー１０の向きを調節して、空気Ｂを空気浄化装置１の前方に向けて吹き出すようにする。そして、制御手段１２は、空気吸込口４の内部に設けられた各ダンパー８の開度が最大になるように作動させ、４箇所の空気吸込口から均等に空気Ａを吸込むようにする。なお、制御手段１２は、空気浄化装置１の左右に障害物がないと判断したときも上記同様に、空気Ｂを本体２の前方に向けて吹出すようにする。
【００５７】
図１４は空気浄化装置１を室内コーナー部に設置した場合の使用状態を示す図であり、図１５はそのときの空気浄化装置１の運転状況を示す斜視図であり、図１６はそのときの空気浄化装置１を上から見た平面図である。この場合、制御手段１２は、本体２に取り付けられたセンサ１１からの信号により、空気浄化装置１の右側面及び背面の近くに障害物が存在することを把握する。
【００５８】
これにより、制御手段１２は、ルーバー１０の向きを調節して、空気Ｂを空気浄化装置１の左前方に向けて吹き出すようにする。すなわち、空気吹出口６の中心軸方向Ｃから左前方に所定の角度αだけ傾斜させて空気Ｂを放出する。この傾斜角度αは、センサ１１により検知した障害物までの距離が近くなるほど、大きくなるように設定されている。
【００５９】
さらに、制御手段１２は、吹出し角度αが大きくなるにしたがって、吹出し方向に位置する左側吸込口４ｄのダンパー８を作動させて吸気量が小さくなるように制御する。これにより、空気吹出口６から吹出した空気Ｂが短絡的に左側吸込口４ｄに吸込まれるのを抑制することが可能となる。
【００６０】
また、制御手段１２は、障害物を検知した空気浄化装置１の右側面は人が存在しないので埃等の微粒子の存在する確率が低いと判断し、右側吸込口４ｃの吸気量が小さくなるように制御する。このように、左側吸込口４ｄと、右側吸込口４ｃの吸気量を小さくすることで相対的に上側吸込口４ａと下側吸込口４ｂの吸気量が増加し、効率よく微粒子を吸込むことが可能となる。
【００６１】
本実施形態においては、周囲に障害物が存在する場合に、空気吹出口６の中心軸方向Ｃに対して左右に角度αで傾斜させるが、上下方向にも適宜傾斜させて空気Ｂを吹出すようにしてもよい。
【００６２】
なお、本願発明は、上記実施形態に限定されるものではなく、本発明の範囲内で修正・変更を加えることができるのは勿論である。例えば、上記実施形態において、空気吸込口４及び空気吹出口６は、本体２の上面あるいは側面の少なくともいずれか一面に設けていればよいが、その他の面に空気吸込口４及び／又は空気吹出口６を形成することも可能である。
【図面の簡単な説明】
【００６３】
【図１】本発明に係る空気浄化装置の第１実施形態を示す外観斜視図
【図２】上記空気浄化装置の内部構成を示す概念図
【図３】上記空気浄化装置の制御ブロック図
【図４】上記空気浄化装置を室内中央に設置したときの運転状況を示す斜視図
【図５】上記空気浄化装置を右側面を壁面に近づけたときの運転状況を示す斜視図
【図６】図６の平面図
【図７】上記空気浄化装置を室内コーナー部に設置したときの使用状態を示す図
【図８】図７における空気浄化装置の運転状況を示す斜視図
【図９】図８の平面図
【図１０】本発明に係る空気浄化装置の第２実施形態を示す外観斜視図
【図１１】上記空気浄化装置を室内に設置したときの使用状態を示す斜視図
【図１２】図１１における空気浄化装置の運転状況を示す斜視図
【図１３】図１２の平面図
【図１４】上記空気浄化装置を室内コーナー部に設置したときの使用状態を示す斜視図
【図１５】図１４における空気浄化装置の運転状況を示す斜視図
【図１６】図１５の平面図
【図１７】従来の空気浄化装置を示す外観斜視図
【符号の説明】
【００６４】
１        空気浄化装置
２        本体
３        イオン発生素子
４        空気吸込口
５        フィルター
６        空気吹出口
７        通風路
８        ダンパー
９        送風ファン
１０        ルーバー
１１        センサ
１２        制御手段
【図１】
2006167201.tif 000003
【図２】
2006167201.tif 000004
【図３】
2006167201.tif 000005
【図４】
2006167201.tif 000006
【図５】
2006167201.tif 000007
【図６】
2006167201.tif 000008
【図７】
2006167201.tif 000009
【図８】
2006167201.tif 000010
【図９】
2006167201.tif 000011
【図１０】
2006167201.tif 000012
【図１１】
2006167201.tif 000013
【図１２】
2006167201.tif 000014
【図１３】
2006167201.tif 000015
【図１４】
2006167201.tif 000016
【図１５】
2006167201.tif 000017
【図１６】
2006167201.tif 000018
【図１７】
2006167201.tif 000019